(57)【要約】      （修正有）【課題】掃除機本体の強度を向上しえる電気掃除機を提供することを課題とする。【解決手段】電動送風機５及びコードリールを内蔵する掃除機本体１と、掃除機本体１に接続されるホースと、ホースに接続される延長管と、延長管に接続される吸込具とを備え、掃除機本体１は、下ケース７と、上ケース８と、電動送風機５を収納する電動送風機ケース４５と、コードリールを収納するコードリールケース３３とを備え、電動送風機ケース４５とコードリールケース３３を結合して下ケース７及び上ケース８に固定するものである。【選択図】図３
2015002818.tif 000002
【特許請求の範囲】
【請求項１】
電動送風機及びコードリールを内蔵する掃除機本体と、前記掃除機本体に接続されるホースと、前記ホースに接続される延長管と、前記延長管に接続される吸込具とを備え、
前記掃除機本体は、下ケースと、上ケースと、前記電動送風機を収納する電動送風機ケースと、前記コードリールを収納するコードリールケースとを備え、前記電動送風機ケースと前記コードリールケースを結合して前記下ケース及び前記上ケースに固定することを特徴とする電気掃除機。
【請求項２】
前記掃除機本体は、蓄電池を収納する蓄電池ケースを備え、前記電動送風機ケースに結合して、前記上ケースおよび前記下ケースに固定することを特徴とする請求項１記載の電気掃除機。
【請求項３】
前記電動送風機ケースの相対向する側面に前記蓄電池ケースと前記コードリールケースを固定することを特徴とする請求項２記載の電気掃除機。
【発明の詳細な説明】
【技術分野】
【０００１】
本発明は、キャニスター型電気掃除機に関するものである。
【背景技術】
【０００２】
従来この種のキャニスター型掃除機においては、掃除機本体は、掃除機本体の外郭を形成する下ケースに電動送風機とコードリールユニット各々を配置し、掃除機本体の外郭を形成する上ケースを下ケースに被せ、上ケースと下ケースを係合することにより、上ケースと下ケースとの間に電動送風機とコードリールを挟持固定する構造としている（例えば、特許文献１参照）。
【先行技術文献】
【特許文献】
【０００３】
【特許文献１】特開平７−１６３４８９号公報
【発明の概要】
【発明が解決しようとする課題】
【０００４】
しかしながら、特許文献１の電気掃除機は、掃除機本体が上ケースと下ケースとを結合して構成しているので、強度が弱く、掃除機本体が落下した場合などには、重量物である電動送風機が移動して掃除機本体が破損する虞があった。
【０００５】
本発明は、掃除機本体の強度を向上しえる電気掃除機を提供することを課題とする。
【課題を解決するための手段】
【０００６】
前記従来の課題を解決するために、本発明の電気掃除機は、電動送風機及びコードリールを内蔵する掃除機本体と、前記掃除機本体に接続されるホースと、前記ホースに接続される延長管と、前記延長管に接続される吸込具とを備え、前記掃除機本体は、下ケースと、上ケースと、前記電動送風機を収納する電動送風機ケースと、前記コードリールを収納するコードリールケースとを備え、前記電動送風機ケースと前記コードリールケースを結合して前記下ケース及び前記上ケースに固定するものである。
【発明の効果】
【０００７】
本発明の電気掃除機は、掃除機本体の強度を向上することができ、掃除機本体が落下した場合の掃除機本体の破損を抑制することができる。
【図面の簡単な説明】
【０００８】
【図１】本発明の実施の形態１における電気掃除機の斜視図
【図２】同掃除機本体の後方からの斜視図
【図３】同掃除機本体の分解斜視図
【図４】同掃除機本体の車軸部中心軸における上方からの断面図
【図５】同掃除機本体の断面図
【図６】同掃除機本体の蓄電池ケースの後方からの斜視図
【図７】同蓄電池ケースの分解斜視図
【図８】同掃除機本体のコードリールケースの斜視図
【図９】同コードリールケースの分解斜視図
【図１０】同掃除機本体の電動送風機ケースの後方斜め左からの斜視図
【図１１】同電動送風機ケースの後方斜め右からの斜視図
【図１２】同電動送風機ケースの分解斜視図
【図１３】同充電台の斜視図
【発明を実施するための形態】
【０００９】
第１の発明は、電動送風機及びコードリールを内蔵する掃除機本体と、前記掃除機本体に接続されるホースと、前記ホースに接続される延長管と、前記延長管に接続される吸込具とを備え、前記掃除機本体は、下ケースと、上ケースと、前記電動送風機を収納する電動送風機ケースと、前記コードリールを収納するコードリールケースとを備え、前記電動送風機ケースと前記コードリールケースを結合して前記下ケース及び前記上ケースに固定するものである。
【００１０】
これにより、掃除機本体の強度を向上することができ、掃除機本体の運搬中に掃除機本体が落下した場合の掃除機本体の破損を抑制することができる。
【００１１】
第２の発明は、特に、第１の発明において、前記掃除機本体は、蓄電池を収納する蓄電池ケースを備え、前記電動送風機ケースに結合して、前記上ケースおよび前記下ケースに固定するものである。
【００１２】
第３の発明は、特に、第２の発明において、前記電動送風機ケースの相対向する側面に前記蓄電池ケースと前記コードリールケースを固定するものである。
【００１３】
以下本発明の実施形態について、図面を参照しながら説明する。なお、この実施形態によって本発明が限定されるものではない。
【００１４】
（実施の形態１）
本発明の実施の形態１について、図面を用いて説明する。
【００１５】
図１に示すように、本発明の電気掃除機１００は、電動送風機５を内蔵する掃除機本体１と、被清掃面の塵埃を吸引する吸込具２と、一端が吸込具２に接続される延長管３と、一端が延長管３に接続され、他端が掃除機本体１に接続されるホース４と、塵埃を捕集する集塵装置６と、から構成されている。
【００１６】
図２及び図３に基づいて掃除機本体１を説明する。掃除機本体１は、掃除機本体１の下面を形成する下ケース７と、掃除機本体１の上面を形成する上ケース８と、上ケース８をさらに覆うように構成された装飾体９と、掃除機本体１の背面を構成する後ケース１０とを備えている。下ケース７と上ケース８と装飾体９と後ケース１０は、爪やネジ等によって結合されている。掃除機本体１の上部、すなわち、上ケース８の上部には、掃除機本体１を持ち運ぶ際に使用者が保持する本体ハンドル１１が取り付けられている。
【００１７】
さらに、掃除機本体１の前方端部には弾性材料で形成された逆止弁１２が取り付けられており、逆止弁１２を覆うように吸気口１３が取り付けられている。また、下ケース７と上ケース８との間には、吸気口１３から流入した空気を集塵装置６に流入させるための吸気パイプ１４が配設されている。掃除機本体１の後ケース１０には、流入した空気を排出する排気口１５が構成されている。
【００１８】
図３及び図４に示すように、掃除機本体１の図中右側面には、電動送風機５に直流電源を供給する蓄電池１６を着脱自在に収納する蓄電池ケース１７が取り付けられており、蓄電池ケース１７内に蓄電池１６を収納する蓄電池収納室を形成している。
【００１９】
図６及び７に基づいて、蓄電池ケース１７を説明する。１８は蓄電池ケース本体で、一端に開口を有する有底筒状に形成され、掃除機本体１側側面から下面にわたって端子部枠
体１９を装着する開口部を形成しており、端子部枠体１９に端子部２０が装着されている。蓄電池ケース本体１８の一端開口側には、環状の支持部２１を形成しており、支持部２１外周に、車輪部２２ａを回転自在に支持する車軸部２３が装着され、車輪部２２ａ及び車軸部２３は、支持部２１に装着される内枠体２４により抜け止めされ、支持される。車軸部２３は、支持部２１と内枠体２４により支持されるため、支持強度を増大でき、車輪部２２ａに大きな力が加わった際の変形を抑制している。車軸部２３は、摩擦抵抗の小さい材料、例えばポリアセタールにより形成している。蓄電池ケース本体１８の一端開口には、開口を開閉自在に閉塞する蓋体２５が回動自在に支持されている。２６は蓋体２５を開閉操作する尾錠である。
【００２０】
図６に示すように、蓄電池ケース本体１８の掃除機本体１内側側面には、端子部枠体１９の両側位置にボス部２７、２７が突出形成されており、ボス部２７、２７近傍の蓄電池ケース本体１８側面に係止爪２８、２８が形成されている。ボス部２７、２７の上方位置には、ネジ孔２９を形成した突起３０と、矩形状の突出部３１が形成されている。
【００２１】
図４に示すように、掃除機本体１の図中左側面には、電動送風機５に交流電源を供給するコードリール３２を内蔵したコードリールケース３３が取り付けられている。
【００２２】
図８及び図９に基づいてコードリールケース３３を説明する。３４はコードリールケース本体で、一端に開口を有する有底筒状に形成され、掃除機本体１側側面に電動送風機５の排気の一部が通過する連通口３５を形成している。コードリールケース本体３４の開口側には、環状の支持部３６を形成し、支持部３６外周に車軸部３７を嵌合支持し、車軸部３７外周に車輪部２２ｂが回転自在に支持されている。コードリールケース本体３４には、開口を覆うように蓋体３８がネジにより固定され、コードリールケース本体３４と蓋体３８との間に車輪部２２ｂが抜け止めされ、支持されると共に、コードリールケース本体３４と蓋体３８により囲まれる空間にコードリール３２が回転自在に支持される。車軸部３７は、摩擦抵抗の小さい材料、例えばポリアセタールにより形成している。３９はコードリールケース本体３４に装着される操作レバーで、コードリール３２の巻き取りを操作するためのものである。
【００２３】
図８に示すように、コードリールケース本体３４には、連通口３５の両側位置にボス部４０、４０が形成され、ボス部４０、４０の両側近傍位置に一対の係合孔４１、４１が形成されている。ボス部４０、４０の上方位置に、ネジ孔４２を形成した突起４３と、突出部４４が形成されている。
【００２４】
図４に示すように、掃除機本体１の中央には、電動送風機５を収納する電動送風機ケース４５が配設される。
【００２５】
図１０〜図１２に基づいて電動送風機ケース４５を説明する。電動送風機ケース４５は、上方に開口部を有する電動送風機ケース本体４６と、電動送風機ケース本体４６の開口部を覆うように電動送風機ケース本体４６に固定されるケースカバー４７と、ケースカバー４７に装着されてケースカバー４７内部と集塵装置６とを連通する流入筒４８とを有しており、電動送風機ケース本体４６とケースカバー４７は爪によって結合されており、ケースカバー４７と流入筒４８はネジによって固定されている。
【００２６】
図１２に示すように、電動送風機５は、下部サポートゴム４９を介して支持部材５０により支持され、上部サポートゴム５１を介して支持部材５０とケースカバー４７との間で挟持される。支持部材５０の両側には、プリント基板が収納された基板収納部５２、５２が装着され、支持部材５０と共に電動送風機ケース本体４６とケースカバー４７とで囲まれる空間内に収納され、支持される。
【００２７】
図１０に示すように、電動送風機ケース本体４６のコードリールケース３３側の側面には、コードリールケース本体３４のボス部４０、４０が嵌合する環状壁５３、５３が形成され、環状壁５３、５３に係合孔４１、４１に係合する係止爪５４、５４が形成されている。ケースカバー４７には、上方に向かってボス５５が形成されており、ボス５５にコードリールケース本体３４の突起４３がネジ固定される。
【００２８】
コードリールケース３３は、電動送風機ケース４５の環状壁５３、５３内にコードリールケース３３のボス部４０、４０を嵌合して係止爪５４、５４を係合孔４１、４１に係合し、ケースカバー４７のボス５５にコードリールケース３３の突起４３をネジ固定する。この状態では、ボス５５とは反対側のケースカバー４７上面をコードリールケース３３の突出部４４が押えた状態となり、コードリールケース３３と電動送風機ケース４５とが一体化される。
【００２９】
図１１に示すように、電動送風機ケース本体４６の蓄電池ケース１７側の側面には、蓄電池ケース１７のボス部２７、２７が嵌合する環状壁５６、５６が形成され、環状壁５６、５６近傍に係止爪２８，２８が係合する係止孔５７、５７を有するリブ５８、５８が形成されている。ケースカバー４７には、上方に向かってボス５９を突出形成している。
【００３０】
蓄電池ケース１７は、電動送風機ケース４５の環状壁５６、５６内に蓄電池ケース１７のボス部２７、２７を嵌合して係止爪２８、２８を係止孔５７、５７に係合し、ボス５９に突起３０をネジ固定する。この状態では、ボス５９とは反対側のケースカバー４７上面を蓄電池ケース１７の突出部３１が押えた状態となり、蓄電池ケース１７と電動送風機ケース４５とが一体化される。
【００３１】
電動送風機ケース４５に、蓄電池ケース１７とコードリールケース３３とを一体化した状態で、下ケース７と上ケース８と装飾体９を固定することにより掃除機本体１を構成することにより掃除機本体１の強度を向上することができる。
【００３２】
図１３に基づいて、充電台６０を説明する。充電台６０には、電源コード６１が接続された図示しない制御基板が収納され、端子受部６２を有しており、端子受部６２には、掃除機本体１に装着される蓄電池ケース１７の端子部２０と、蓄電池１６が選択的に接続される。
【００３３】
以上のように構成された電気掃除機において、以下に掃除機本体１の組立方法を説明する。
【００３４】
電動送風機ケース４５とコードリールケース３３とを組み立てる際には、電動送風機ケース４５の環状壁５３、５３内にコードリールケース３３のボス部４０、４０を嵌合して係止爪５４、５４を係合孔４１、４１に係合し、ケースカバー４７のボス５５にコードリールケース３３の突起４３をネジ固定する。電動送風機ケース４５の環状壁５３、５３とコードリールケース３３のボス部４０、４０との嵌合、及び係止爪５４、５４と係合孔４１、４１との係合操作は、コードリールケース３３の突起４３を電動送風機ケース４５のボス５５に当接させ、突出部４４をケースカバー４７上面に当接させた状態で行うことにより、手ぶれがし難くボス部の嵌合の位置合わせが容易になり、組み立て性を向上することができる。
【００３５】
コードリールケース３３の突起４３を電動送風機ケース４５のボス５５に当接させ、突出部４４をケースカバー４７上面に当接させて２箇所を支点として回転操作することにより、より安定して回転動作を行うことができるようになり、電動送風機ケース４５の環状
壁５３、５３とコードリールケース３３のボス部４０、４０の嵌合、及び係止爪５４、５４と係合孔４１、４１との係合がより容易に行え、さらに組み立て性を向上することができる。
【００３６】
コードリールケース３３と電動送風機ケース４５に離間する方向に力が加わっても、係止爪５４、５４と係合孔４１、４１とを係合することにより、電動送風機ケース４５の環状壁５３、５３とコードリールケース３３のボス部４０、４０との嵌合が外れることがなくなり、堅固に固定することができる。
【００３７】
さらに、コードリールケース３３のボス部４０、４０を案内として係止爪５４、５４が移動するので、組立作業性を向上することができる。
【００３８】
電動送風機ケース４５と蓄電池ケース１７とを組み立てる際には、電動送風機ケース４５の環状壁５６、５６に蓄電池ケース１７のボス部２７、２７を嵌合して係止爪２８、２８を係止孔５７、５７に係合し、ボス５９に突起３０をネジ固定する。電動送風機ケース４５の環状壁５６、５６に蓄電池ケース１７のボス部２７、２７を嵌合して係止爪２８、２８を係止孔５７、５７に係合する作業は、蓄電池ケース１７の突起３０をボス５９に当接させ、突出部３１をケースカバー４７上面に当接させた状態で行うことにより、手ぶれが起こり難く、電動送風機ケース４５の環状壁５６、５６と蓄電池ケース１７のボス部２７、２７との嵌合作業、係止爪２８、２８と係止孔５７、５７との係合作業を容易に行うことができ、組立作業性を向上することができる。
【００３９】
蓄電池ケース１７の突起３０を電動送風機ケース４５のボス５９に当接させ、突出部３１をケースカバー４７上面に当接させて２箇所を支点として回転操作することにより、より安定した回転動作を行うことができるようになり、電動送風機ケース４５の環状壁５６、５６と蓄電池ケース１７のボス部２７、２７との嵌合作業、係止爪２８、２８と係止孔５７、５７との係合がより容易に行え、組立作業性を向上することができる。
【００４０】
蓄電池ケース１７と電動送風機ケース４５に離間する方向に力が加わった場合でも、係止爪２８、２８と係止孔５７、５７が係合することにより、環状壁５６、５６とボス部２７、２７との嵌合が外れることがなく、強固に固定することができる。
【００４１】
以上のように、電動送風機ケース４５に蓄電池ケース１７とコードリールケース３３とを固定した状態で、下ケース７、上ケース８および後ケース１０等を固定し、掃除機本体１を構成する。
【００４２】
電動送風機ケース４５と蓄電池ケース１７とコードリールケース３３とを一体化し、下ケース７、上ケース８および後ケース１０等を固定して掃除機本体１を構成しているので、掃除機本体１の強度を向上することができ、掃除機本体１の運搬中に掃除機本体１を落下させた場合等の掃除機本体１の破損を抑制することができる。
【００４３】
掃除機本体１の両側に重量物である蓄電池１６コードリール３２を配設しているので、掃除機本体１の左右方向の重量バランスがよくなり、持ち運び易くすることができる。
【００４４】
電動送風機ケース４５の両側に蓄電池ケース１７とコードリールケース３３を固定することにより、電動送風機ケース４５の強度を向上させることができ、電動送風機５の振動が電動送風機ケース４５に伝播することによる電動送風機ケース４５の共鳴音を減少させることができる。
【００４５】
なお、電動送風機ケース４５と蓄電池ケースとの固定構成、及び電動送風機ケース４５
とコードリールケース３３との固定構成は、本実施の形態に限定するものではなく、従来周知の構成を利用することができる。
【産業上の利用可能性】
【００４６】
以上のように、本発明にかかるキャニスター型電気掃除機は、電動送風機ケースとコードリールケースと蓄電池ケースを固定して掃除機本体を構成することにより、掃除機本体の強度を向上することが可能となるもので、汎用性の高い構成であり、家庭用、業務用の各種電気掃除機にも応用できる。
【符号の説明】
【００４７】
１  掃除機本体
５  電動送風機
７  下ケース
８  上ケース
１０  後ケース
１７  蓄電池ケース
３３  コードリールケース
４５  電動送風機ケース
１００  電気掃除機
【図１】
2015002818.tif 000003
【図２】
2015002818.tif 000004
【図３】
2015002818.tif 000005
【図４】
2015002818.tif 000006
【図５】
2015002818.tif 000007
【図６】
2015002818.tif 000008
【図７】
2015002818.tif 000009
【図８】
2015002818.tif 000010
【図９】
2015002818.tif 000011
【図１０】
2015002818.tif 000012
【図１１】
2015002818.tif 000013
【図１２】
2015002818.tif 000014
【図１３】
2015002818.tif 000015